(57)【特許請求の範囲】
【請求項１】
電力系統を構成する電気回路の少なくとも一部を収容可能に構成されている内部空間と、当該内部空間と外部とを連通させる貫通孔とを有し、且つ当該内部空間に絶縁ガスが所定の圧力で充填されて密閉される金属製の容器本体と、
当該貫通孔を塞ぐよう当該容器本体に保持されており、且つ前記内部空間と外部との差圧が所定の破裂圧力に達したときに破裂する破裂板と、
化学繊維を含んで構成された繊維層を有し、前記容器本体の外側を覆う被覆部と、
を備え、
前記被覆部は、
前記容器本体の外側に前記破裂板と対向して配置されており、且つ化学繊維で構成されている対向編物を、有する
ことを特徴とする圧力容器。
【請求項２】
前記容器本体は、鋳造により製作されており、アルミ合金で構成されている
ことを特徴とする請求項１に記載の圧力容器。
【請求項３】
前記繊維層は、化学繊維を原料とする糸により編まれた編物を含み、
前記対向編物は、当該編物と一体に編まれて当該繊維層に結合されている
ことを特徴とする請求項１又は請求項２に記載の圧力容器。
【請求項４】
前記対向編物は、
複数の縁部のうち一つが、前記繊維層と結合されており、
当該繊維層と結合されている縁部を軸として回動可能に構成されている
ことを特徴とする請求項３に記載の圧力容器。
【請求項５】
前記対向編物は、
前記容器本体から前記対向編物に向けて外側に突出して延びている外側突出部と、
前記対向編物のうち当該繊維層と結合されている縁部とは反対側にある縁部に沿って延びており、当該反対側にある縁部が固定される固定部とを有し、当該対向編物が取り付けられる取付用フレームを、さらに備える
ことを特徴とする請求項４に記載の圧力容器。
【請求項６】
前記対向編物の前記複数の縁部及び前記取付用フレームは、前記容器本体と共に複数の開口を画定しており、
前記破裂板が破裂したときに、前記貫通孔からの絶縁ガスは、前記対向編物を通って外部に流出すると共に、当該複数の開口を通って外部に流出する
ことを特徴とする請求項５に記載の圧力容器。
【請求項７】
前記対向編物は、
縁部のうちすべてが、前記繊維層に結合されており、
前記繊維層に含まれる編物に比べて通気抵抗が小さくなるように構成されている
ことを特徴とする請求項３に記載の圧力容器。
【請求項８】
前記対向編物は、
前記繊維層に含まれる編物と同じ糸により一体に編まれており、且つ当該編物に比べて糸の密度が低くなるよう構成されている
ことを特徴とする請求項７に記載の圧力容器。
【発明の詳細な説明】
【技術分野】
【０００１】
本発明の実施形態は、電力系統を構成する電気回路の少なくとも一部を収容し、内部空間に絶縁ガスが充填される圧力容器に関する。
【背景技術】
【０００２】
送電系統や配電系統などの電力系統には、通常、電力の変換や取扱い等に用いられる機器、いわゆる電気機器（electrical machinery）が設けられている。電気機器には、例えば、電力系統を構成する電気回路を開閉するために用いられる閉閉装置がある。このような開閉装置には、絶縁媒体として、六フッ化硫黄等の不活性ガス（以下、絶縁ガスと記す）が所定の圧力で充填される容器（以下、圧力容器と記す）を備えているものがある。このような開閉装置には、絶縁ガス中において電気回路を構成する接触子（電気接点）の開閉が行われるガス遮断器や、絶縁ガスを絶縁媒体として、遮断器、断路器、母線等の複数の機器が組み合された装置、いわゆるガス絶縁開閉装置（ＧＩＳ：gas insulated switchgear）がある。
【０００３】
このような圧力容器のうち金属製の本体（以下、容器本体と記す）内においては、地絡事故等により、アーク放電が生じることがある。容器本体内において予測されないアーク放電が生じた場合、当該容器本体内のガスが当該アーク放電により加熱されて膨張し、内側から高い圧力が作用する場合がある。容器本体には、上述したアーク放電の発生によって内部の圧力が高まった場合にも、これに耐え得る機械的強度が求められており、仮に、当該容器本体が破損した場合であっても、当該容器本体の破片が外部に飛散することを抑制する技術が求められている。例えば、下記の特許文献１には、容器本体の外面に繊維強化プラスチックで構成された層を形成する技術が提案されている。
【０００４】
また、このような圧力容器には、破裂板式安全装置を備えたものがある（例えば、特許文献１参照）。破裂板式安全装置は、容器本体の内側と外側の差圧によって破裂板が破裂し、内部空間の圧力を低下させる。これにより、地絡事故等により内部空間の圧力が上昇したときに容器本体が破損することを防止する。
【０００５】
例えば、下記の特許文献２に記載のガス絶縁開閉装置は、密閉容器（容器本体）を貫通する孔を閉塞し、当該密閉容器内の圧力が所定値（いわゆる破裂圧力）に達したときに破裂する板、いわゆる破裂板が取り付けられている。なお、特許文献２には、破裂した破裂板に対向して配置されて外から破裂板を覆うカバーが配設された態様について開示されている。
【先行技術文献】
【特許文献】
【０００６】
【特許文献１】特開２０１１−１４２７８２号公報
【特許文献２】特開２０１０−４６５６号公報
【発明の概要】
【発明が解決しようとする課題】
【０００７】
このような圧力容器は、長期間（例えば、２０年以上）に亘って使用されるものであり、破裂板式安全装置については、所定の破裂圧力で確実に作動することが求められている。また、圧力容器は、一般的に屋外に設置されるものであり、強い太陽光や風雨に曝される。このため、当該内部空間の圧力が、所定の破裂圧力に達しても、経年劣化等の原因により破裂板式安全装置が正常に作動しない虞がある。
【０００８】
破裂板式安全装置が正常に作動しないと、内部空間の圧力がさらに上昇して、容器本体が破壊される場合がある。特に、容器本体が鋳造により製作された鋳物である場合、内部空間の圧力上昇により破壊して、容器本体の破片が外部に飛散する可能性がある。このため、圧力容器には、破裂式安全装置が正常に作動しない場合であっても、容器本体の破片が外部に飛散することを抑制する必要がある。
【０００９】
また、破裂板式安全装置を正常に作動させるためには、破裂板式安全装置の保守や点検を定期的に行う必要がある。場合によっては、破裂板式安全装置の構成部品、例えば、破裂板やホルダ等を交換する必要がある。また、内部空間の圧力が、所定の破裂圧力に達して破裂板が破裂した場合には、内部空間から流出する絶縁ガスを流出させると共に、破裂板の破片が外部に飛散することを抑制する必要がある。
【００１０】
本発明の実施形態は、上記事情に鑑みてなされたものであって、破裂板式安全装置が作動したときに、破裂板の破片等が外部に飛散することを抑制すると共に、破裂板式安全装置が作動せずに容器本体が破壊された場合であっても、当該容器本体の破片が外部に飛散することを抑制可能な圧力容器を提供することを目的とする。
【課題を解決するための手段】
【００１１】
上述の目的を達成するため、本発明の実施形態の圧力容器は、電力系統を構成する電気回路の少なくとも一部を収容可能に構成されている内部空間と、当該内部空間と外部とを連通させる貫通孔とを有し、且つ当該内部空間に絶縁ガスが所定の圧力で充填されて密閉される金属製の容器本体と、当該貫通孔を塞ぐよう当該容器本体に保持されており、且つ前記内部空間と外部との差圧が所定の破裂圧力に達したときに破裂する破裂板と、化学繊維を含んで構成された繊維層を有し、前記容器本体の外側を覆う被覆部と、を備え、前記被覆部は、前記容器本体の外側に前記破裂板と対向して配置されており、且つ化学繊維で構成されている対向編物を、有することを特徴とする。
【図面の簡単な説明】
【００１２】
【図１】第１の実施形態の圧力容器の構成を示す断面立面図である。
【図２】第１の実施形態の破裂板式安全装置の構成を示す縦断面図であり、図１に破線Ｃで囲う部分の拡大断面図である。
【図３】第１の実施形態の破裂板式安全装置の構成を示す外観図であり、図２に矢印Ａで示すように圧力容器の外側から見た図である。
【図４】第１の実施形態の取付用フレームを鉛直下側から見た外観図である。
【図５】第２の実施形態の破裂板式安全装置の構成を示す縦断面図であり、図１に破線Ｃで囲う部分の拡大断面図である。
【図６】第２の実施形態の破裂板式安全装置の構成を示す外観図であり、図５に矢印Ａで示すように圧力容器の外側から見た図である。
【発明を実施するための形態】
【００１３】
以下に、本発明の実施形態について図面を参照して説明する。なお、以下に説明する実施形態により、本発明が限定されるものではなく、その要旨を逸脱しない範囲において種々の変更が可能である。
【００１４】
〔第１の実施形態〕
第１の実施形態の圧力容器の構成について、図１〜図４を用いて説明する。
図１は、本実施形態の圧力容器の構成を示す断面立面図である。図２は、本実施形態の破裂板式安全装置の構成を示す縦断面図であり、図１に破線Ｃで囲う部分の拡大断面図である。図３は、本実施形態の破裂板式安全装置の構成を示す外観図であり、図２に矢印Ａで示すように圧力容器の外側から見た図である。図４は、本実施形態の取付用フレームを鉛直下側から見た外観図である。
【００１５】
図１に示すように、圧力容器１０は、金属製の容器本体１１と、容器本体１１の開口の縁部にそれぞれ設けられているフランジ１５，１６，１７と、容器本体１１の外側を覆う部分（以下、被覆部と記す）３０と、を有している。
【００１６】
本実施形態において、容器本体１１は、鋳造により製作されており、アルミ合金で構成された鋳物である。容器本体１１には、電気回路の少なくとも一部を収容可能な空間（以下、内部空間と記す）８が形成されている。なお、以下の説明において、圧力容器１０のうち、容器本体１１に対して内部空間８が形成される側を、単に「内側」と記し、容器本体１１に対して被覆部３０が設けられる側を、単に「外側」と記す。
【００１７】
圧力容器１０は、電力系統の電気回路を構成しており、且つ主回路電流が流れる主導電部（main conductive part）を、容器本体１１の内部空間８に収容する。本実施形態において、内部空間８は、主導電部として主回路電流が流れる導体（いわゆる母線）５を収容している。
【００１８】
本実施形態の圧力容器１０は、ガス絶縁開閉装置の一部を構成している。圧力容器１０のうち容器本体１１は、主回路電流が流れる主導電部を囲う金属製の容器、いわゆるメタル・エンクロージャ（metal enclosure）として構成されている。
【００１９】
容器本体１１は、所定の圧力の絶縁ガスが内部空間８に充填されて密閉される。絶縁ガスには、電気絶縁性が比較的高い不活性ガス、例えば、六フッ化硫黄（ＳＦ６）が用いられる。内部空間８には、例えば、０．６ＭＰａ程度の圧力で絶縁ガスが充填される。
【００２０】
また、本実施形態の圧力容器１０は、図示しない架台の上に載せられて屋外に設置される。以下の説明において、鉛直方向のうち上側を「鉛直上側」と記して図に矢印Ｕで示し、下側を「鉛直下側」と記して図に矢印Ｄで示す。
【００２１】
本実施形態の容器本体１１には、図１に示すように、内部空間８と連通する３つの開口が設けられており、これら開口の縁部には、それぞれフランジ１５，１６，１７が設けられている。圧力容器１０は、これらフランジ１５，１６，１７を介して、ガス絶縁開閉装置を構成する他の容器や機器と結合される。
【００２２】
また、容器本体１１には、上述したフランジ１５，１６，１７の開口とは別に、内部空間８にある絶縁ガスを、圧力容器１０外（以下、単に「外部」と記す）に放出するための貫通孔１２が形成されている。本実施形態においては、図２に示すように、容器本体１１のうち、貫通孔１２を囲う部分１１ａは、周囲に比べて厚くなるように構成されており、貫通孔１２は、水平方向に延びている。
【００２３】
被覆部３０は、フランジ１５，１６，１７を除く、容器本体１１の外側を覆うように設けられている。被覆部３０は、化学繊維を含んで構成された層（以下、単に「繊維層」と記す）３３と、合成樹脂で構成された層（以下、単に「樹脂層」と記す）３９を有している。本実施形態において、容器本体１１の外面１１ｃの外側には、繊維層３３が設けられている。当該繊維層３３を保護し、且つ当該繊維層３３を容器本体１１に固定するために、繊維層３３の外側には、樹脂層３９が形成されている。
【００２４】
繊維層３３は、本実施形態において、化学繊維のうち合成繊維を原料とする合成繊維糸（synthetic fiber yarn）が編まれた編物（knitted fabric）、いわゆる合成繊維編物として構成されている。合成繊維編物の原料となる合成繊維には、例えば、ベクトラン（登録商標）等のポリアレート系繊維（polyallylate-fiber）が用いられる。なお、当該合成繊維には、例えば、ダイニーマ（登録商標）等のポリエチレン繊維を用いることもできる。
【００２５】
本実施形態において、繊維層３３を構成する合成繊維編物は、１０ｍｍあたり７本の糸が通る間隔（織り密度が、７本／１０ｍｍ）で編まれている。合成繊維編物を編む作業には、ホールガーメント（登録商標）横編機（flatbed knitting machine）を用いることができる。
【００２６】
このような編機を制御する制御プログラムに、合成繊維編物の形状を示す数値データを入力することにより、立体的で複雑な形状の合成繊維編物を編むことができる。合成繊維編物の形状を示すデータは、圧力容器１０の形状を示すＣＡＤデータから算出することができる。このような編機により、例えば、容器本体１１を包み込む袋状に編まれた合成繊維編物を実現することができる。
【００２７】
本実施形態において、繊維層３３を構成する合成繊維編物には、樹脂層３９を構成する合成樹脂が入り込んでいる。すなわち合成繊維編物には、当該合成樹脂が含浸されている。当該樹脂層３９により、繊維層３３は、容器本体１１に固定されている。
【００２８】
樹脂層３９は、合成樹脂で構成されており、本実施形態においては、エポキシ樹脂（epoxy resin）で構成されている。樹脂層３９を構成する合成樹脂は、合成繊維編物で構成された繊維層３３の外側から塗布される。これにより、繊維層３３の外側には、樹脂層３９が形成される。加えて、繊維層３３を構成する合成繊維編物の糸の間にも合成樹脂が入り込む。この合成樹脂は、容器本体１１の外面１１ｃに達し、繊維層３３の一部を構成する。これにより、繊維層３３を構成する合成繊維編物は、容器本体１１に固定される。当該合成繊維編物には、当該合成樹脂が含浸されている。
【００２９】
なお、樹脂層３９の外面に、耐候性に優れた合成樹脂系塗料を塗布して、被覆層（図示せず）を形成することも好適である。このような耐候性塗料には、例えば、ウレタン樹脂を主成分とする塗料が用いられる。また、当該耐候性塗料には、アクリル樹脂やフッ素樹脂を主成分とする塗料を用いることもできる。
【００３０】
また、図１及び図２に示すように、圧力容器１０には、破裂板式安全装置（bursting disc safety device）２０が設けられている。破裂板式安全装置２０は、上述した容器本体１１を貫通している貫通孔１２と、当該貫通孔１２を塞ぐように容器本体１１に保持されており且つ内部空間８と容器本体１１外との差圧が所定の破裂圧力（bursting pressure）に達したときに破裂する破裂板２２（bursting disc）と、容器本体１１に対して破裂板２２を所定の位置に保持するホルダ２４と、を有している。圧力容器１０は、破裂板２２が破裂すると、貫通孔１２を介して、内部空間８が圧力容器１０外すなわち外部に連通するよう構成されている。
【００３１】
なお、以下の説明において、貫通孔１２を流れる絶縁ガスの流動方向の上流側、すなわち内部空間８側を、単に「上流側」と記し、絶縁ガスの流動方向の下流側、すなわち圧力容器１０の外側を、単に「下流側」と記す。
【００３２】
破裂板２２は、ホルダ２４に保持されて貫通孔１２を塞ぐことにより、内部空間８の絶縁ガスの圧力（すなわち内部空間の圧力）を所定の値に保持する。破裂板２２は、内部空間の圧力を受けて外側に変形するよう構成されており、内部空間８（すなわち上流側）と前記容器本体１１外（すなわち下流側）との差圧が、所定の破裂圧力に達したときに破裂するよう構成されている。破裂板２２は、「ラプチャーディスク」とも称される。
【００３３】
本実施形態の破裂板２２は、反転ドーム形破裂板（reverse domed bursting disc）として構成されており、上流側に凸となるようドーム状に湾曲している。当該破裂板２２は、破裂圧力が凸面側、すなわち内部空間８側に加えられたときに、破裂するように構成されている。
【００３４】
ホルダ２４は、略環状をなしており、破裂板２２のうち外縁部２２ｃに沿って貫通孔１２の周方向に延びている。ホルダ２４は、当該外縁部２２ｃを容器本体１１との間に挟み込む。ホルダ２４は、図示しないボルト等により容器本体１１と結合されて、破裂板２２を容器本体１１に対して保持する。
【００３５】
ホルダ２４の径方向内側の壁面（以下、ホルダ内壁と記す）２４ａは、貫通孔１２のうち下流側を画定している。ホルダ内壁２４ａは、容器本体１１のうち貫通孔１２の上流側を画定する内壁１２ａと、同一の径となるよう構成されている。つまり、貫通孔１２は、破裂板２２により塞がれている部分を除いて、横断面の断面積（以下、単に「断面積」と記す）が一定となるよう構成されている。
【００３６】
貫通孔１２は、破裂板２２が破裂したときに、圧力容器１０外（外部）の空間と内部空間８とを連通させる。内部空間８にある絶縁ガスが、貫通孔１２を通して外部に放出されることにより、内部空間８は、減圧される。なお、以下の説明において、水平方向のうち、貫通孔１２が延びている方向と直交する方向を、図に矢印Ｈ１で示す。
【００３７】
加えて、本実施形態の被覆部３０は、図２及び図３に示すように、破裂板２２及び貫通孔１２と対向して容器本体１１の外側に配置されており、且つ化学繊維で構成された編物（以下、対向編物と記す）３４を有している。本実施形態において、対向編物３４は、上述した合成繊維編物として構成されている。
【００３８】
図２に示すように、被覆部３０のうち対向編物３４が配置されている部分には、樹脂層３９が設けられていない。図３に示すように、本実施形態の対向編物３４は、鉛直方向及び水平方向（図に矢印Ｈ１で示す）に広がる略矩形をなしている。対向編物３４のうち鉛直上側の縁部（以下、上側縁部と記す）３４ａは、樹脂層３９の縁部３９ａと鉛直方向に隣接している。対向編物３４は、当該上側縁部３４ａを介して繊維層３３と接続されている。
【００３９】
本実施形態において、対向編物３４は、上述したホールガーメント（登録商標）横編機を用いて、繊維層３３を構成する合成繊維編物と一体に編まれている。対向編物３４のうち、上側縁部３４ａは、繊維層３３と結合されている。対向編物３４のうち、鉛直下側の縁部（以下、下側縁部と記す）３４ｃ、水平方向（図に矢印Ｈ１で示す）両側にある縁部３４ｅ，３４ｆは、繊維層３３に対して移動可能に構成されている。すなわち、対向編物３４は、繊維層３３と結合されている上側縁部３４ａを軸として回動可能に構成されている。
【００４０】
また、図２〜図４に示すように、圧力容器１０は、当該対向編物３４が取り付けられるフレーム（以下、取付用フレームと記す）４０を有している。取付用フレーム４０は、容器本体１１から対向編物３４に向けて外側に突出して延びている部分（以下、外側突出部と記す）４１と、図３及び図４に示すように、当該外側突出部４１から対向編物３４の下側縁部３４ｃに沿って延びており、当該下側縁部３４ｃが固定される部分（以下、固定部と記す）４３とを有している。本実施形態において、固定部４３の両端には、それぞれ外側突出部４１が接続されており、取付用フレーム４０は、略Ｕ字状をなしている。
【００４１】
樹脂層３９のうち取付用フレーム４０と対向する縁部３９ｃは、当該取付用フレーム４０から鉛直下側に所定間隔をあけて配置されている。図４に示すように、取付用フレーム４０と容器本体１１により囲まれて、開口２５が形成されている。また、圧力容器１０には、図２及び図３に示すように、取付用フレーム４０、対向編物３４の縁部３４ｅ及び容器本体１１に囲まれた開口２６が形成されている。同様に、当該開口２６の水平方向の反対側には、図３に示すように、取付用フレーム４０、対向編物３４の縁部３４ｆ及び容器本体１１に囲まれた開口２７が形成されている。
【００４２】
このように対向編物３４の複数の縁部３４ｅ，３４ｆ及び取付用フレーム４０は、容器本体１１と共に、複数（３つ）の開口２５，２６，２７を画定している。内部空間８の絶縁ガスの圧力（内部空間の圧力）が所定の破裂圧力に達して破裂板２２が破裂したとき、貫通孔１２からは、絶縁ガスが外側に流出する。貫通孔１２からの絶縁ガスは、対向編物３４を通って外部に流出すると共に、これら複数の開口２５，２６，２７を通って外部に流出する。
【００４３】
このとき対向編物３４は、貫通孔１２から流出する絶縁ガスを通すと共に、破裂した破裂板２２の破片を受け止める。なお、破裂板２２が破裂したときの対向編物３４を通過する絶縁ガスの流量を減らすために、これら複数の開口２５，２６，２７の総面積は、上述した貫通孔１２の断面積の８０％〜１２０％となるよう構成されることが好ましい。
【００４４】
以上に説明したように、本実施形態の圧力容器１０は、図１及び図２に示すように、電力系統を構成する電気回路の少なくとも一部を収容可能に構成されている内部空間８と、当該内部空間８と外部とを連通させる貫通孔１２とを有し、且つ内部空間８に絶縁ガスが所定の圧力で充填されて密閉される金属製の容器本体１１と、当該容器本体１１を貫通する貫通孔１２を塞ぐよう容器本体１１に保持されており、且つ内部空間８と外部との差圧が所定の破裂圧力に達したときに破裂する破裂板２２とを有している。また、圧力容器１０は、化学繊維を含んで構成された繊維層３３を有し、容器本体１１の外側を覆う被覆部３０を有している。
【００４５】
被覆部３０は、破裂板２２と対向して当該容器本体１１の外側に配置されており、且つ化学繊維で構成された編物である対向編物３４を有するものとした。対向編物３４は、破裂板式安全装置２０が作動して破裂板２２が破裂したときに、貫通孔１２からの絶縁ガスを外部に流出させると共に、破裂板２２の破片を受け止めて、当該破片が外部に飛散することを抑制することができる。破裂板式安全装置２０が正常に作動せずに容器本体１１が脆性破壊した場合であっても、化学繊維を含んで構成された繊維層３３を有する被覆部３０により、当該容器本体１１の破片が外部に飛散することを防止することができる。なお、外部からは、対向編物３４を通して破裂板２２と、その周辺構成を視認できるため、破裂板式安全装置２０の点検作業を比較的容易に行うことができる。
【００４６】
また、本実施形態において、対向編物３４は、複数の縁部３４ａ，３４ｃ，３４ｅ，３４ｆのうち、上側縁部３４ａが繊維層３３と結合されており、当該繊維層３３と結合されている上側縁部３４ａを軸として回動可能に構成されているものとした。対向編物３４を回動させることにより、外部から破裂板２２やその周辺構成、例えば、ホルダ２４にアクセスし易くなり、破裂板２２の交換等の保守作業を比較的容易に行うことができる。
【００４７】
なお、本実施形態において、対向編物３４は、当該繊維層３３と結合されている上側縁部３４ａを軸として回動可能に構成されており、上側縁部３４ａの反対側にある下側縁部３４ｃが、取付用フレーム４０の固定部４３に固定されるものとしたが、本発明に係る対向編物の態様は、これに限定されるものではない。繊維層３３に結合されていれば良い。
【００４８】
〔第２の実施形態〕
第２の実施形態の圧力容器の構成について、図１、図５及び図６を用いて説明する。図５は、本実施形態の破裂板式安全装置の構成を示す縦断面図であり、図１に破線Ｃで囲う部分の拡大断面図である。図６は、本実施形態の破裂板式安全装置の構成を示す外観図であり、図５に矢印Ａで示すように圧力容器の外側から見た図である。なお、第１の実施形態と略共通の構成については、同一の符号を付して説明を省略する。
【００４９】
図５及び図６に示すように、本実施形態の対向編物３６は、合成繊維を原料とする糸により編まれた合成繊維編物として構成されている。図５に示すように、対向編物３６のうち鉛直上側の縁部（以下、上側縁部と記す）３６ａは、樹脂層３９の縁部３９ａと鉛直方向に隣接している。一方、鉛直下側の縁部（以下、下側縁部と記す）３６ｃは、樹脂層３９の縁部３９ｃと隣接している。
【００５０】
図６に示すように、対向編物３６は、鉛直方向及び水平方向（図に矢印Ｈ１で示す）に広がる略矩形をなしている。対向編物３６のうち、水平方向（図に矢印Ｈ１で示す）外側にある縁部３６ｅ，３６ｆも、それぞれ、樹脂層３９の縁部３９ｅ，３９ｆと隣接している。
【００５１】
対向編物３６は、４つの縁部３６ａ，３６ｃ，３６ｅ，３６ｆがそれぞれ繊維層３３に含まれる合成繊維編物と一体に編まれており、当該繊維層３３に結合されている。本実施形態において、繊維層３３の合成繊維編物と、対向編物３６は、糸が格子状をなすように編まれている。繊維層３３に含まれる合成繊維編物は、鉛直方向及び水平方向の双方において、１０ｍｍあたり７本の糸が通る間隔（織り密度が、７本／１０ｍｍ）で編まれている。
【００５２】
一方、対向編物３６は、繊維層３３を構成する合成繊維編物に比べて通気抵抗が小さくなるように構成されている。対向編物３６は、繊維層３３に含まれる合成繊維編物と同じ合成繊維糸を用いて一体に編まれており、且つ当該編物に比べて面積当たりの糸の密度が低くなるよう構成されている。換言すれば、対向編物３６における隣り合う糸同士の間隔は、繊維層３３の合成繊維編物における隣り合う糸同士の間隔に比べて大きくなるよう構成されている。
【００５３】
本実施形態において、対向編物３６は、１０ｍｍあたり２本の糸が通る間隔（織り密度が、２本／１０ｍｍ）で編まれている。すなわち、対向編物３６は、織り密度が、繊維層３３に含まれる合成繊維編物の５０％以下となる間隔で編まれている。このように、面積あたりの糸の密度（すなわち隣り合う糸同士の間隔）が異なる合成繊維編物を一体に編む作業には、上述したホールガーメント（登録商標）横編機を用いることができる。
【００５４】
このように通気抵抗が比較的小さく構成された対向編物３６は、破裂板式安全装置２０が作動して破裂板２２が破裂したときに、貫通孔１２からの絶縁ガスを良好に外部に流出させて、当該破裂板２２の破片の外部への飛散を抑制することができる。第１の実施形態で説明した取付用フレーム４０等を用いることなく、簡素な構成で破裂式安全装置を備えた圧力容器１０を実現することができる。
【００５５】
〔他の実施形態〕
以上に説明した各実施形態において、容器本体１１の内部空間８は、主回路電流が流れる導体５（いわゆる母線）を収容するものとしたが、本発明に係る圧力容器は、この態様に限定されるものではない。圧力容器の容器本体は、上述した導体の他、主導電部を構成する接触子や、当該接触子を駆動するための機構を、内部空間に収容するものとしても良い。
【００５６】
また、各実施形態において、繊維層３３は、合成繊維を原料とする合成繊維糸を編み合わせて製作された合成繊維編物であるものとしたが、本発明に係る繊維層は、この態様に限定されるものではない。当該繊維層は、化学繊維で構成されていれば良く、上述した合成繊維の他に、ガラス繊維やカーボン繊維を原料として構成されているものとしても良い。
【００５７】
また、各実施形態において繊維層３３は、編物として構成されているものとしたが、本発明に係る繊維層は、この態様に限定されるものではない。当該繊維層は、二組の糸を交錯させて製作された織物として構成されているものとしても良い。また、本発明に係る繊維層には、これら編物や織物を組み合わせたものや、不織布を用いることも可能である。
【００５８】
また、各実施形態において、繊維層３３の外側には、合成樹脂で構成された樹脂層３９が設けられて被覆部３０を構成するものとしたが、本発明の圧力容器は、この態様に限定されるものではない。例えば、樹脂層３９を設けることなく、繊維層３３を構成する合成繊維編物に、上述した合成樹脂で構成された耐候性塗料を含浸させておくことも好適である。
【００５９】
また、各実施形態において、破裂板式安全装置２０を構成する破裂板２２（図２参照）は、反転ドーム形破裂板として構成されているものとしたが、本発明に係る破裂板は、この態様に限定されるものではない。破裂板は、上流側である内部空間８と、下流側である圧力容器１０外との差圧が、所定の破裂圧力に達したときに破裂するよう構成されていれば良い。破裂板には、平らな形状をなしている平形破裂板（flat bursting disc）や、下流側に凸となるようドーム状に湾曲しているドーム形破裂板（domed bursting disc）等、様々な形状のものを用いることができる。
【００６０】
本発明のいくつかの実施形態について説明したが、これらの実施形態は、例として提示したものであり、発明の範囲を限定することは意図していない。これら新規な実施形態はその他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６１】
５      導体
８      内部空間
１０    圧力容器
１１    容器本体
１１ｃ  外面
１２    貫通孔
１２ａ  内壁
１５，１６，１７    フランジ
２０    破裂板式安全装置
２２    破裂板
２２ｃ  外縁部
２４    ホルダ
２４ａ  ホルダ内壁
２５，２６，２７    開口
３０    被覆部
３３    繊維層
３４    対向編物
３４ａ  上側縁部（縁部）
３４ｃ  下側縁部（縁部）
３４ｅ，３４ｆ  縁部
３６    対向編物
３６ａ  上側縁部（縁部）
３６ｃ  下側縁部（縁部）
３６ｅ，３６ｆ  縁部
３９    樹脂層
３９ａ，３９ｃ，３９ｅ，３９ｆ  縁部
４０    取付用フレーム
４１    外側突出部
４３    固定部
【図１】
0006457365.tif 000002
【図２】
0006457365.tif 000003
【図３】
0006457365.tif 000004
【図４】
0006457365.tif 000005
【図５】
0006457365.tif 000006
【図６】
0006457365.tif 000007